(57)【要約】【課題】表示部の画面上でコンテンツを慣性スクロール表示させた後に、引き続き行われる次の操作を簡略化する。【解決手段】本発明の表示装置１０は、表示部１２と、表示部１２の画面に設けられたタッチパネル１３と、表示部１２の画面にコンテンツを表示させ、タッチパネル１３に対してフリック操作が行われると表示部１２の画面上でコンテンツを慣性スクロール表示させる制御ユニット１１とを備え、表示制御部２２は、慣性スクロール表示の終了時点にコンテンツの処理に用いられる入力用画像を表示部１２に表示させる。【選択図】図２
2019061379.tif 000002
【特許請求の範囲】
【請求項１】
表示部と、
前記表示部の画面に設けられたタッチパネルと、
前記表示部の画面にコンテンツを表示させ、前記タッチパネルに対してフリック操作が行われると、前記表示部の画面上で前記コンテンツを慣性スクロール表示させる制御部と、を備え、
前記制御部は、前記コンテンツの処理に用いられる指示を入力するために用いられる入力用画像を、前記慣性スクロール表示の終了時点で前記表示部に表示させる表示装置。
【請求項２】
前記制御部は、前記入力用画像を、前記表示部の画面における前記コンテンツに続く位置に表示させる請求項１に記載の表示装置。
【請求項３】
前記制御部は、前記表示部の画面において慣性スクロール表示させている前記コンテンツの最大移動速度に応じて、前記入力用画像の表示サイズを変更する請求項１又は請求項２に記載の表示装置。
【請求項４】
前記制御部は、前記表示部の画面において慣性スクロール表示させている前記コンテンツの移動速度と予め設定された閾値を比較し、前記コンテンツの移動速度が前記閾値以上になった場合に、前記入力用画像を前記表示部に表示させる請求項１又は請求項２に記載の表示装置。
【請求項５】
前記制御部は、前記コンテンツとして、複数のデータを示すリストを前記表示部に表示させると共に、検索対象とするデータを指定する指定指示を受け付け、
前記制御部は、更に、
前記入力用画像として、前記リストにおける任意のデータを検索対象として指定する指定指示を受け付けるために用いられる画像を表示させ、
前記コンテンツの処理として、前記受け付けた前記指定指示が示すデータを前記リストから検索する請求項１乃至請求項４のいずれか１つに記載の表示装置。
【請求項６】
前記データは、ファイル又はメールであり、
前記制御部は、前記受け付けた指定指示が示す前記ファイル又はメールに対して、前記コンテンツの処理として、前記データの表示、送信、削除、又は移動を行う請求項５に記載の表示装置。
【請求項７】
前記制御部は、前記受け付けた前記指定指示に従って、前記コンテンツとしてのテキストデータを編集する請求項１乃至請求項４のいずれか１つに記載の表示装置。
【請求項８】
前記制御部は、
前記コンテンツとして、複数のデータを示すリストを前記表示部に表示させ、
前記受け付けた前記指定指示により前記データのうちのいずれかが指定されている場合には、前記入力用画像として、当該指定されたデータの処理を指示するために用いられる画像を前記表示部に表示させ、
前記指定指示により前記データのうちのいずれも指定されていない場合に、前記入力用画像として、前記リストにおける任意のデータを検索対象として指定する指定指示を受け付けるための画像を、前記表示部に表示させる請求項１乃至請求項４のいずれか１つに記載の表示装置。
【請求項９】
表示部の画面に設けられたタッチパネルと、
前記表示部の画面にコンテンツを表示させ、前記タッチパネルに対してフリック操作が行われると、前記表示部の画面上で前記コンテンツを慣性スクロール表示させる制御部として、コンピューターを機能させ、
更に、前記制御部が、前記コンテンツの処理に用いられる指示を入力するために用いられる入力用画像を、前記慣性スクロール表示の終了時点で前記表示部に表示させるように、前記コンピューターを機能させる表示制御プログラム。
【発明の詳細な説明】
【技術分野】
【０００１】
本発明は、表示装置及び表示制御プログラムに関し、特にコンテンツを表示部の画面にスクロール表示させるための技術に関する。
【背景技術】
【０００２】
スマートフォンなどの携帯端末装置（表示装置の一例）は、表示部の画面にタッチパネルを備え、表示部の画面に対するユーザー操作（タッチ操作やフリック操作など）を、タッチパネルを通じて受け付けて、このユーザー操作に応答して動作する。例えば、表示部の画面にコンテンツを表示させた状態で、タッチパネルに対してフリック操作が行われると、表示部の画面上でコンテンツを慣性スクロール表示させる。
【０００３】
また、特許文献１では、選択リスト領域から選択反映領域に向かう方向への第１フリック操作に基づいて、選択リスト領域から選択反映領域にアイコンを移動させ、或いは、第１方向とは逆方向への第２フリック操作に基づいて、選択反映領域から選択リスト領域にアイコンを移動させる。
【先行技術文献】
【特許文献】
【０００４】
【特許文献１】特開２０１５−１１６８１号公報
【発明の概要】
【発明が解決しようとする課題】
【０００５】
ここで、ユーザーは、上記のように表示部の画面上でコンテンツを慣性スクロール表示させた後、続いて更に別の操作を行うことがある。例えば、コンテンツとして、ファイルのリストが表示されている場合、リストに含まれるファイルを検索する処理を開始させる操作、検索対象となるファイルを指定する操作、検索したファイルを削除したり移動させたりする操作等を行うことがある。このとき、慣性スクロール表示に続いて行われコンテンツを処理するための操作が煩雑であり、操作を簡略化することが望まれていた。
【０００６】
特許文献１では、フリック操作によりアイコンを移動させてはいるが、慣性スクロール表示に続いて別の操作を行う際の煩雑さを解消することはできない。
【０００７】
本発明は、上記の事情に鑑みなされたものであり、表示部の画面上でコンテンツを慣性スクロール表示させた後に、引き続き行われる次の操作を容易に行えるようにすることを目的とする。
【課題を解決するための手段】
【０００８】
本発明の一局面にかかる表示装置は、表示部と、前記表示部の画面に設けられたタッチパネルと、前記表示部の画面にコンテンツを表示させ、前記タッチパネルに対してフリック操作が行われると、前記表示部の画面上で前記コンテンツを慣性スクロール表示させる制御部と、を備え、前記制御部は、前記コンテンツの処理に用いられる指示を入力するために用いられる入力用画像を、前記慣性スクロール表示の終了時点で前記表示部に表示させる表示装置である。
【０００９】
また、本発明の別の一局面にかかる表示制御プログラムは、表示部の画面に設けられたタッチパネルと、前記表示部の画面にコンテンツを表示させ、前記タッチパネルに対してフリック操作が行われると、前記表示部の画面上で前記コンテンツを慣性スクロール表示させる制御部として、コンピューターを機能させ、更に、前記制御部が、前記コンテンツの処理に用いられる指示を入力するために用いられる入力用画像を、前記慣性スクロール表示の終了時点で前記表示部に表示させるように、前記コンピューターを機能させるものである。
【発明の効果】
【００１０】
本発明によれば、表示部の画面上でコンテンツを慣性スクロール表示させた後に、引き続き行われる次の操作を簡略化することができる。
【図面の簡単な説明】
【００１１】
【図１】本発明の一実施形態にかかる表示装置の外観を示す図である。
【図２】本実施形態の表示装置の内部構成を示すブロック図である。
【図３】ファイルのリスト、メールのリスト、及びメールのテキスト別に、入力用画像を設定するための入力用画像設定画面を示す図である。
【図４】ファイルのリスト、メールのリスト、及びメールのテキスト別に、入力用画像の有効又は無効が書き込まれたデータテーブルを示す図である。
【図５Ａ】入力用画像をコンテンツの慣性スクロール表示の終了時点で表示部の画面に表示させるための処理手順を示すフローチャートである。
【図５Ｂ】図５Ａに続く処理手順を示すフローチャートである。
【図５Ｃ】図５Ａに続く他の処理手順を示すフローチャートである。
【図５Ｄ】図５Ａに続く別の処理手順を示すフローチャートである。
【図６】表示部の画面に表示されているファイルのリストを示す図である。
【図７】表示部の画面に表示されているメールのリストを示す図である。
【図８】表示部の画面に表示されているメールのテキストを示す図である。
【図９】（Ａ）及び（Ｂ）は、表示部の画面に表示されているファイルのリスト及び該リストに対する処理に用いられるそれぞれの入力用画像を示す図である。
【図１０】（Ａ）及び（Ｂ）は、表示部の画面に表示されているメールのリスト及び該リストに対する処理に用いられるそれぞれの入力用画像を示す図である。
【図１１】（Ａ）及び（Ｂ）は、表示部の画面に表示されているメールのテキスト及び該テキストに対する処理に用いられるそれぞれの入力用画像を示す図である。
【発明を実施するための形態】
【００１２】
以下、本発明の実施形態にかかる表示装置について図面を参照して詳細に説明する。
【００１３】
図１は、本発明の表示装置の一実施形態の外観を示す図である。図２は、本実施形態の表示装置の内部構成を示すブロック図である。
【００１４】
本実施形態の表示装置１０は、例えば、スマートフォンなどの携帯端末装置であって、表示部１２と、タッチパネル１３と、通信部１４と、記憶部１５と、制御ユニット１１とを備えている。これらの構成要素は、互いにバスを通じてデータ又は信号の送受信が可能とされている。
【００１５】
表示部１２は、液晶ディスプレイ（ＬＣＤ：Liquid Crystal Display）や有機ＥＬ（ＯＬＥＤ：Organic Light-Emitting Diode）などから構成される。
【００１６】
タッチパネル１３は、所謂抵抗膜方式や静電容量方式等のタッチパネルである。タッチパネル１３は、表示部１２の画面に配置され、表示部１２の画面に対する指などの接触をその接触位置と共に検知する。タッチパネル１３は、指などの接触を検知すると、その接触位置の座標を示す検知信号を制御ユニット１１の制御部２１などに出力する。従って、タッチパネル１３は、表示部１２の画面に対するユーザー操作が入力される操作部としての役割を果たす。
【００１７】
また、表示装置１０は、ユーザー操作が入力される操作部として、上記のタッチパネル１３に加えてハードキーを備えてもよい。
【００１８】
通信部１４は、不図示のＬＡＮチップなどの通信モジュールを備える通信インターフェイスである。
【００１９】
記憶部１５は、大容量のＳＳＤ（Solid State Drive）、ＨＤＤ（Hard Disk Drive）などからなり、各種のデータやプログラムを記憶している。
【００２０】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット１１は、上記のＲＯＭ又は記憶部１５に記憶された制御プログラムが上記プロセッサーで実行されることにより、制御部２１、表示制御部２２、及び通信制御部２３として機能する。なお、制御ユニット１１の上記の各構成要素は、前述の制御プログラムに基づく動作によらず、それぞれハード回路により構成されてもよい。
【００２１】
制御ユニット１１は、表示装置１０の全体的な動作制御を司る。また、制御ユニット１１は、表示部１２、タッチパネル１３、通信部１４、および記憶部１５などと接続されており、上記各構成要素の動作制御や、各構成要素との間での信号またはデータの送受信を行う。
【００２２】
制御部２１は、種々の処理を実行する処理部としての役割を果たす。通信制御部２３は、通信部１４の通信動作を制御する機能を有する。また、表示制御部２２は、表示部１２の表示動作を制御する機能を有する。
【００２３】
また、制御部２１は、タッチパネル１３から出力される検知信号に基づき、ユーザーにより入力されたユーザー操作を特定する。そして、制御部２１は、特定したユーザー操作を受け付けて、このユーザー操作に応答動作する。
【００２４】
上記ユーザー操作には、タッチ操作、スワイプ操作、フリック操作などがある。例えば、ユーザーがタッチパネル１３に指を接触させて直ちに離すと、タッチパネル１３は、接触を検知した位置を示す検知信号を制御部２１に出力する。制御部２１は、該検知信号を入力すると、この検知信号に基づきユーザー操作がタッチ操作であることを判定し、このタッチ操作を受け付ける。このタッチ操作は、例えば表示部１２の画面上のソフトキーに対して行われる。
【００２５】
また、タッチパネル１３に指を接触させた状態で指を移動させると、タッチパネル１３は、最初に接触を検出した初期位置から最後に接触を検出した最終位置までの各移動位置を示す検知信号を制御部２１に出力する。制御部２１は、該検知信号を入力すると、この検知信号に基づきユーザー操作がスワイプ操作であること、及びスワイプ操作の操作方向を判定し、このスワイプ操作を受け付ける。このスワイプ操作は、例えば表示部１２の画面上のアイコンを移動させるときに該アイコンに対して行われる。
【００２６】
また、ユーザーがタッチパネル１３に指を接触させると同時にすばやく移動させて、タッチパネル１３から指を離すと、つまり指によりタッチパネル１３をはじくような操作を行うと、タッチパネル１３は、最初に接触を検出した初期位置から最後に接触を検出した最終位置までの各移動位置を示す検知信号を制御部２１に出力する。制御部２１は、該検知信号を入力すると、この検知信号に基づき短時間での素早い接触位置の変化を検出して、ユーザー操作がフリック操作であること、及びフリック操作の操作方向を判定し、このフリック操作を受け付ける。表示部１２の画面に対して行われる当該フリック操作に応じて、表示制御部２２は、例えば表示部１２の画面に表示されているテキストや画像などのコンテンツを慣性スクロール表示させる。表示制御部２２は、当該慣性スクロール表示を行うとき、表示部１２の画面上でのコンテンツの移動速度が、慣性スクロール表示の開始時点で最も早く、開始時点からの時間の経過と共に徐々に遅くされて最後に「０」となる用に表示制御する。
【００２７】
なお、制御部２１，表示制御部２２、及び通信制御部２３は、特許請求の範囲における「制御部」に相当する。また、表示部１２は、特許請求の範囲における「表示部」に相当し、タッチパネル１３は、特許請求の範囲における「タッチパネル」に相当する。
【００２８】
ここで、ユーザーは、表示装置１０に対して、表示部１２の画面にテキストや画像などのコンテンツを慣性スクロール表示させた後、続いてコンテンツの処理を実行させる操作を行うことがあるが、この操作は、簡単に行えることが望ましい。
【００２９】
そこで、本実施形態では、表示制御部２２が、慣性スクロール表示の終了時点において、コンテンツの処理に用いられる指示等を入力するために用いられる入力用画像を表示部１２の画面に表示させる。これにより、本実施形態では、ユーザーが、タッチパネル１３を通じて当該入力用画像に対する操作を行うことで、慣性スクロール表示の終了時に、表示されているコンテンツの処理についての操作を直ちに開始可能である。ここでは、コンテンツとして、ファイルのリスト、メールのリスト、及びメールのテキストを例に挙げて説明する。
【００３０】
例えば、表示制御部２２が、図１に示すように表示装置１０における表示部１２の初期画面Ｇ１に、コンテンツの処理に用いられる入力用画像を設定するためのアイコンＩＣを表示させているものとする。ユーザーがそのアイコンＩＣに対してタッチ操作すると、制御部２１は、タッチパネル１３を通じて、アイコンＩＣに対するタッチ操作を検出して、図３に示すようなファイルのリスト、メールのリスト、及びメールのテキスト別に、入力用画像を設定するための入力用画像設定画面Ｇ２を表示部１２に表示する。
【００３１】
表示制御部２２は、図３に例を示すように、表示部１２の入力用画像設定画面Ｇ２に、慣性スクロール表示の終了時に表示させる入力用画像の候補として、ファイルのリストＦＬの処理に用いられる各入力用画像である、検索対象のファイル名を入力するためのテキストボックスＴＢ１、及びファイルの表示、削除、移動を指示するための各キーＫ１１、Ｋ１２、Ｋ１３のそれぞれを示す画像を表示させる。更に、表示制御部２２は、入力用画像設定画面Ｇ２に、テキストボックスＴＢ１に対応するチェックボックスＣＢ１１、及び各キーＫ１１、Ｋ１２、Ｋ１３に対応する各チェックボックスＣＢ１２、ＣＢ１３、ＣＢ１４のそれぞれを示す画像を表示させる。
【００３２】
また、表示制御部２２は、入力用画像設定画面Ｇ２において、更に、メールのリストＭＬの処理に用いられる入力用画像として、検索対象のメール名を入力するためのテキストボックスＴＢ２、及びメールの表示、送信、又は削除を指示するための各キーＫ２１、Ｋ２２、Ｋ２３のそれぞれを示す画像を表示させる。更に、表示制御部２２は、入力用画像設定画面Ｇ２に、テキストボックスＴＢ２に対応するチェックボックスＣＢ２１、及び各キーＫ２１、Ｋ２２、Ｋ２３に対応する各チェックボックスＣＢ２２、ＣＢ２３、ＣＢ２４のそれぞれを示す画像を表示させる。
【００３３】
また、表示制御部２２は、入力用画像設定画面Ｇ２に、メールのテキストＴＸの処理に用いられる入力用画像として、テキストの作成に用いられるテキスト作成ツールＴＬ１、及びマーキングされたテキストの箇所の削除又はコピーを指示するための各キーＫ３１、Ｋ３２のそれぞれを示す画像を表示させる。更に、表示制御部２２は、入力用画像設定画面Ｇ２に、テキスト作成ツールＴＬ１に対応するチェックボックスＣＢ３１、及び各キーＫ３１、Ｋ３２に対応する各チェックボックスＣＢ３２、ＣＢ３３のそれぞれを示す画像を表示させる。
【００３４】
この表示状態において、ユーザーは、ファイルのリストＦＬ、メールのリストＭＬ、及びメールのテキストＴＸ別に、ユーザーが使用したい入力用画像に対応する上記各チェックボックスに対してタッチ操作を行う。制御部２１は、ファイルのリストＦＬ、メールのリストＭＬ、及びメールのテキストＴＸ別に、タッチパネル１３を通じて、チェックボックスに対するタッチ操作を検出する。表示制御部２２は、そのタッチ操作されたチェックボックスに、チェックを示す画像を表示させる。制御部２１は、タッチ操作されたチェックボックスに対応する入力用画像を、慣性スクロール表示の終了時に表示させる入力用画像として有効にする情報を入力用画像毎に記憶部１５に記憶されているデータテーブルに書き込む。
【００３５】
図４は上記データテーブルＤＴを例示する図である。図４に示すようにデータテーブルＤＴには、ファイルのリストＦＬの処理に用いられる入力用画像として、テキストボックスＴＢ１、及び各キーＫ１１、Ｋ１２、Ｋ１３が記憶されている。制御部２１は、テキストボックスＴＢ１については、図３の入力用画像設定画面Ｇ２におけるチェックボックスＣＢ１１に対して上記タッチ操作があれば有効を示す情報を書き込み、当該タッチ操作がなければ無効を示す情報を書き込む。制御部２１は、同様に各キーＫ１１、Ｋ１２、Ｋ１３について有効又は無効を示す情報を書き込む。
【００３６】
また、データテーブルＤＴには、メールのリストＭＬの処理に用いられる入力用画像として、テキストボックスＴＢ２及び各キーＫ２１、Ｋ２２、Ｋ２３が記憶されている。制御部２１は、テキストボックスＴＢ２については、図３の入力用画像設定画面Ｇ２におけるチェックボックスＣＢ２１に対して上記タッチ操作があれば有効を示す情報を書き込み、当該タッチ操作がなければ無効を示す情報を書き込む。制御部２１は、同様に各キーＫ２１、Ｋ２２、Ｋ２３について有効又は無効を示す情報を書き込む。
【００３７】
また、データテーブルＤＴには、メールのテキストＴＸの処理に用いられる入力用画像として、テキスト作成ツールＴＬ１及び各キーＫ３１、Ｋ３２が記憶されている。制御部２１は、テキスト作成ツールＴＬ１については、図３の入力用画像設定画面Ｇ２におけるチェックボックスＣＢ３１に対して上記タッチ操作があれば有効を示す情報を書き込み、当該タッチ操作がなければ無効を示す情報を書き込む。制御部２１は、同様に各キーＫ３１、Ｋ３２について有効又は無効を示す情報を書き込む。
【００３８】
図４では、データテーブルＤＴでは、ファイルのリストＦＬの処理に用いられるテキストボックスＴＢ及び各キーＫ１１、Ｋ１２について有効を示す情報が記憶され、また、メールのリストＭＬの処理に用いられるテキストボックスＴＢ２及び各キーＫ２１、Ｋ２２、Ｋ２３について有効を示す情報が記憶され、また、メールのテキストＴＸの処理に用いられるテキスト作成ツールＴＬ１及びキーＫ３１について有効を示す情報が記憶されている例を示している。
【００３９】
次に、本実施形態の表示装置１０において、データテーブルＤＴに基づき、コンテンツの処理に用いられる入力用画像を、該コンテンツの慣性スクロール表示の終了時点で表示部１２の画面に表示させるための処理手順を、図５Ａ乃至図５Ｄに示すフローチャートなどを参照して説明する。
【００４０】
表示装置１０において、表示制御部２２がコンテンツＣを表示部１２の画面に表示させている状態で、制御部２１は、タッチパネル１３に対するユーザー操作を待機している（Ｓ１０１でＮＯ）。
【００４１】
制御部２１は、タッチパネル１３に対するユーザー操作が行われると（Ｓ１０１でＹＥＳ）、ユーザー操作がフリック操作であるか否かを判定する（Ｓ１０２）。制御部２１は、ユーザー操作がフリック操作でないと判定すると（Ｓ１０２でＮＯ）、フリック操作とは異なるユーザー操作に基づく応答処理が実行される（Ｓ１０３）。当該「フリック操作とは異なるユーザー操作」については後で述べる。Ｓ１０３の後、処理はＳ１０１に戻る。
【００４２】
ここで、制御部２１は、ユーザー操作がフリック操作であると判定した場合（Ｓ１０２でＹＥＳ）、フリック操作の操作方向が上方向又は下方向のいずれかを判定する（Ｓ１０４）。そして、表示制御部２２は、記憶部１５に予め記憶されているコンテンツＣのデータを適宜読み出して、表示部１２の画面においてＳ１０４で判定された方向へのコンテンツＣの慣性スクロール表示を開始する（Ｓ１０５）。
【００４３】
この慣性スクロール表示では、表示制御部２２は、コンテンツＣを表示部１２の画面上で、Ｓ１０４で判定された上方向又は下方向に向けて移動させて表示し、かつコンテンツＣの移動速度が、慣性スクロール表示の開始時点で最も早く、開始時点からの時間の経過と共に徐々に遅くされて最後に「０」となるように表示させる。また、慣性スクロール表示の最中に、タッチパネル１３に対するフリック操作が再度又は繰り返し行われると、表示制御部２２は、慣性スクロール表示を再度又は繰り返して実行させて継続する。表示制御部２２は、更にフリック操作の方向に応じて、慣性スクロール表示の上下方向を切替える。
【００４４】
そして、制御部２１は、表示制御部２２が慣性スクロール表示を停止させたときに（Ｓ１０６でＹＥＳ）、コンテンツＣの終端が表示部１２の画面に表示されているか否かを判定する（Ｓ１０７）。例えば、制御部２１は、表示制御部２２が下方向への慣性スクロール表示を終了させた場合、コンテンツＣの終端まで表示部１２に表示されてから、慣性スクロール表示が停止されたかを判定する。
【００４５】
慣性スクロール表示が停止したときに、制御部２１が、コンテンツＣの終端までが表示部１２の画面に表示されていない、すなわち、慣性スクロール表示によりコンテンツＣの全てが表示されていないと判定すると（Ｓ１０７でＮＯ）、Ｓ１０１からの処理が繰り返される。
【００４６】
例えば、表示部１２での表示対象とされるコンテンツＣが図６に示すようなファイルのリストＦＬである場合、ユーザーがリストＦＬに示される任意のファイルに対するタッチ操作を行うと、制御部２１は、タッチパネル１３に対するユーザー操作が行われたと判定すると共に（Ｓ１０１でＹＥＳ）、ユーザー操作がフリック操作でないと判定する（Ｓ１０２でＮＯ）。このとき、表示制御部２２は、そのタッチ操作に基づく応答処理として、タッチ操作された任意のファイルに対応するチェックボックスＣＢにチェックマークを示す画像を表示させる（Ｓ１０３）。制御部２１は、当該タッチ操作されたファイルを処理の対象とする旨の情報を、上記データテーブルＤＴに書き込む。そして、Ｓ１０１からの処理に戻る。なお、当該タッチ操作が、上記「フリック操作とは異なるユーザー操作」の一例となる。
【００４７】
また、コンテンツＣが図７に示すようなメールのリストＭＬである場合は、ユーザーがリストＭＬにおける任意のメール名に対するタッチ操作を行うと、制御部２１は、タッチパネル１３に対するユーザー操作が行われたと判定すると共に（Ｓ１０１でＹＥＳ）、ユーザー操作がフリック操作でないと判定し（Ｓ１０２でＮＯ）、表示制御部２２は、そのタッチ操作に基づく応答処理として、そのタッチ操作されたメール名に対応するチェックボックスＣＢにチェックマークを示す画像を表示させる（Ｓ１０３）。そして、処理はＳ１０１に戻る。
【００４８】
あるいは、コンテンツＣが図８に示すようなメールのテキストＴＸである場合は、ユーザーがテキストＴＸのいずれかの箇所に対するスワイプ操作を行うと、制御部２１は、タッチパネル１３に対するユーザー操作が行われたと判定すると共に（Ｓ１０１でＹＥＳ）、ユーザー操作がフリック操作でないと判定する（Ｓ１０２でＮＯ）。表示制御部２２は、そのスワイプ操作に基づく応答処理として、そのスワイプ操作されたテキストＴＸの箇所にマーカーＭＫを示す画像を表示させる（Ｓ１０３）。この後、処理はＳ１０１に戻る。
【００４９】
一方、制御部２１が、慣性スクロール表示の終了時に、コンテンツＣの終端が表示部１２の画面に表示されていると判定した場合は（Ｓ１０７でＹＥＳ）、コンテンツＣがファイルのリストＦＬ、メールのリストＭＬ、及びメールのテキストＴＸのいずれであるかを判定する（Ｓ１０８）。
【００５０】
ここで、制御部２１は、コンテンツＣがファイルのリストＦＬ、メールのリストＭＬ、及びメールのテキストＴＸのいずれでもないと判定すると（Ｓ１０８「その他」）、すなわち、コンテンツＣが他の種類のものであると判定した場合は、処理はＳ１０１に戻る。
【００５１】
また、制御部２１は、コンテンツＣがファイルのリストＦＬであると判定すると（Ｓ１０８「ファイルリスト」）、リストＦＬにおけるいずれかのファイルに対応するチェックボックスにチェックが入れられているか、すなわち、当該ファイルを処理の対象とする旨の情報が上記データテーブルＤＴに書き込まれているか否かを判定する。
【００５２】
そして、制御部２１が、チェックが入れられていると判定すると（Ｓ１０９でＹＥＳ）、表示制御部２２は、上記データテーブルＤＴの各キーに有効を示す情報が記憶されている入力用画像を、表示部１２の画面に表示させる（Ｓ１１０）。本実施形態では、表示制御部２２は、各キーＫ１１、Ｋ１２、Ｋ１３のうち、上記データテーブルＤＴに有効を示す情報が記憶されている入力用画像を、表示部１２の画面に表示させるものとし、ここでは、各キーＫ１１、Ｋ１２の入力用画像に有効を示す情報が記憶されているものとする。表示制御部２２は、例えば、図９（Ａ）に示すように、各キーＫ１１、Ｋ１２を、表示部１２の画面において、ファイルのリストＦＬの終端に続く位置（当該終端の外側）に表示させる。
【００５３】
この状態で、ユーザーが各キーＫ１１、Ｋ１２のいずれかをタッチ操作すると、制御部２１は、タッチパネル１３を通じて、タッチ操作されたキーを判定し（Ｓ１１１でＹＥＳ）、制御部２１又は表示制御部２２は、このタッチ操作されたキーに対応する処理を実行する（Ｓ１１２）。
【００５４】
例えば、キーＫ１１がタッチ操作された場合、表示制御部２２は、Ｓ１０９でチェックがされていると判断されたファイルを記憶部１５から読み出し、このファイルの内容を、表示部１２に表示させる。
【００５５】
また、例えば、キーＫ１２がタッチ操作された場合、制御部２１は、チェックが入れられているチェックボックスに対応するファイルを記憶部１５から削除し、表示制御部２２は、表示部１２の画面に表示されているリストＦＬから当該ファイルを示す画像を非表示とする。
【００５６】
なお、各キーＫ１１、Ｋ１２、Ｋ１３のうち、上記データテーブルＤＴに有効を示す情報が記憶されている入力用画像がない場合は、Ｓ１１０〜Ｓ１１２の処理は行われず、処理はＳ１０１に戻る。
【００５７】
また、制御部２１は、Ｓ１０９において、チェックが入れられていないと判定すると（Ｓ１０９でＮＯ）、表示制御部２２は、上記データテーブルＤＴに有効を示す情報が記憶されている入力用画像を、表示部１２の画面に表示させる（Ｓ１１３）。ここでは、テキストボックスＴＢ１の入力用画像について有効を示す情報が記憶されているものとする。表示制御部２２が、記憶部１５からテキストボックスＴＢ１及びキーボードＫＢのデータを読み出して、テキストボックスＴＢ１及びキーボードＫＢを表示部１２の画面に表示させる（Ｓ１１３）。
【００５８】
このとき、表示制御部２２は、図９（Ｂ）に示すように、テキストボックスＴＢ１及びキーボードＫＢを、表示部１２の画面におけるファイルのリストＦＬの終端に続く位置（当該終端の外側）に表示させる。なお、ここでは、テキストボックスＴＢ１の入力用画像に有効を示す情報が記憶されているものとする。
【００５９】
この状態で、ユーザーが、キーボードＫＢをタッチ操作して、検索対象となるファイル名を入力すると、表示制御部２２は、そのファイル名をテキストボックスＴＢ１に表示させる。そして、制御部２１は、テキストボックスＴＢ１のファイルの名称を判定して（Ｓ１１４でＹＥＳ）、このファイル名をリストＦＬから検索し、この検索したファイル名のファイルを表示制御部２２が記憶部１５から読み出し、当該ファイルの内容を表示部１２の画面に表示させる（Ｓ１１５）。
【００６０】
なお、Ｓ１０９でＮＯの場合であって、テキストボックスＴＢ１の入力用画像に無効を示す情報が記憶されている場合は、表示制御部２２は、テキストボックスＴＢ１及びキーボードＫＢを表示させず、Ｓ１１３〜Ｓ１１５の処理は行われず、処理はＳ１０１に戻る。
【００６１】
このように、慣性スクロール表示によりコンテンツＣの全てが表示され、このコンテンツＣがファイルのリストＦＬである場合は、リストＦＬにおけるいずれかのファイルのチェックボックスにチェックが入れられているか否かに応じて、各キーＫ１１、Ｋ１２、又はテキストボックスＴＢ１及びキーボードＫＢが表示部１２の画面に表示されることから、ユーザーが各キーＫ１１、Ｋ１２又はテキストボックスＴＢ１及びキーボードＫＢを操作することにより、慣性スクロール表示終了時に、続けて、ファイルの表示や削除という処理又はファイルの検索という処理を実行させるための操作を容易に行うことが可能になる。
【００６２】
一方、Ｓ１０８において、制御部２１は、コンテンツＣがメールのリストＭＬであると判定すると（Ｓ１０８「メールリスト」）、リストＭＬにおけるいずれかのメールに対応するチェックボックスにチェックが入れられているか否か、すなわち、当該ファイルを処理の対象とする旨の情報が上記データテーブルＤＴに書き込まれているか否かを判定する（Ｓ１１６）。
【００６３】
そして、制御部２１は、チェックが入れられていると判定すると（Ｓ１１６でＹＥＳ）、表示制御部２２は、上記データテーブルＤＴの各キーに有効を示す情報が記憶されている入力用画像を、表示部１２の画面に表示させる（Ｓ１１７）。本実施形態では、表示制御部２２は、各キーＫ２１、Ｋ２２、Ｋ２３のうち、上記データテーブルＤＴに有効を示す情報が記憶されている入力用画像を、表示部１２の画面に表示させるものとし、ここでは、各キーＫ２１、Ｋ２２、Ｋ２３の入力用画像に有効を示す情報が記憶されているものとする。このとき、表示制御部２２は、図１０（Ａ）に例を示すように、各キーＫ２１、Ｋ２２、Ｋ２３を、表示部１２の画面におけるメールのリストＭＬの終端に続く位置（当該終端の外側）に表示させる。
【００６４】
この状態で、ユーザーが各キーＫ２１、Ｋ２２、Ｋ２３のいずれかをタッチ操作すると、制御部２１は、タッチパネル１３を通じて、タッチ操作されたキーを判定し（Ｓ１１８でＹＥＳ）、このタッチ操作されたキーに対応する処理を実行する（Ｓ１１９）。例えば、キーＫ２１がタッチ操作された場合、表示制御部２２は、Ｓ１１６でチェックがされていると判断したメールを記憶部１５から読み出し、このファイルの内容を、表示部１２に表示させる。
【００６５】
また、キーＫ２２がタッチ操作された場合、制御部２１は、チェックが入れられているメールを記憶部１５から読み出し、通信制御部２３が、当該メールを、通信部１４からネットワークへと送信させる。
【００６６】
また、キーＫ２３がタッチ操作された場合、制御部２１は、チェックが入れられているチェックボックスに対応するメールを記憶部１５から削除し、表示制御部２２は、表示部１２の画面に表示されているリストＭＬから当該メールを示す画像を非表示とする。
【００６７】
なお、各キーＫ２１、Ｋ２２、Ｋ２３のうち、上記データテーブルＤＴに有効を示す情報が記憶されている入力用画像がない場合は、Ｓ１１７〜Ｓ１１９の処理は行われず、処理はＳ１０１に戻る。
【００６８】
また、制御部２１は、チェックが入れられていないと判定すると（Ｓ１１６でＮＯ）、表示制御部２２が、テキストボックスＴＢ２及びキーボードＫＢを表示部１２の画面に表示させる（Ｓ１２０）。このとき、図１０（Ｂ）に示すようにテキストボックスＴＢ２及びキーボードＫＢは、表示部１２の画面におけるメールのリストＭＬの終端に続く位置（当該終端の外側）に表示させる。なお、ここでは、テキストボックスＴＢ２の入力用画像に有効を示す情報が記憶されているものとする。
【００６９】
この状態で、ユーザーが、キーボードＫＢをタッチ操作して、検索対象となるメール名を入力すると、表示制御部２２は、そのメール名をテキストボックスＴＢ２に表示させる。そして、制御部２１は、入力されたメール名を有するファイルをリストＭＬから検出し（Ｓ１２１でＹＥＳ）、表示制御部２２は、この検索したメール名のメールを記憶部１５から読み出し、このメールの内容を表示部１２の画面に表示させる（Ｓ１２２）。
【００７０】
なお、Ｓ１１６でＮＯの場合であって、テキストボックスＴＢ２の入力用画像に無効を示す情報が記憶されている場合は、表示制御部２２は、テキストボックスＴＢ２及びキーボードＫＢを表示させず、Ｓ１２０〜Ｓ１２２の処理は行われず、処理はＳ１０１に戻る。
【００７１】
このように、慣性スクロール表示によりコンテンツＣの全てが表示され、このコンテンツＣがメールのリストＭＬである場合は、各キーＫ２１〜Ｋ２３、又はテキストボックスＴＢ２及びキーボードＫＢが表示部１２の画面に表示され、ユーザーが各キーＫ２１〜Ｋ２３又はテキストボックスＴＢ２及びキーボードＫＢを操作することにより、慣性スクロール表示終了時に、メールの表示、送信、削除という処理又はメールの検索という処理を実行させるための操作を容易に行うことが可能になる。
【００７２】
また、Ｓ１０８において、制御部２１は、コンテンツＣがメールのテキストＴＸであると判定すると（Ｓ１０８「メールテキスト」）、メールのテキストＴＸのいずれかの箇所がマーキングされているか否か、すなわち、当該メールを処理の対象とする旨の情報が上記データテーブルＤＴに書き込まれているか否かを判定する（Ｓ１２３）。
【００７３】
そして、制御部２１は、マーキングされていると判定すると（Ｓ１２３でＹＥＳ）、表示制御部２２は、上記データテーブルＤＴの各キーに有効を示す情報が記憶されている入力用画像を、表示部１２の画面に表示させる（Ｓ１２４）。本実施形態では、表示制御部２２は、キーＫ３１、Ｋ３２のうち、上記データテーブルＤＴに有効を示す情報が記憶されている入力用画像を、表示部１２の画面に表示させるものとし、ここでは、各キーＫ３１の入力用画像に有効を示す情報が記憶されているものとする。表示制御部２２は、図１１（Ａ）に示すように、キーＫ３１を、表示部１２の画面におけるメールのテキストＴＸの終端に続く位置（当該終端の外側）に表示させる。
【００７４】
この状態で、ユーザーがキーＫ３１をタッチ操作すると、制御部２１は、タッチパネル１３を通じて、タッチ操作されたキーＫ３１を判定し（Ｓ１２５でＹＥＳ）、このタッチ操作されたキーＫ３１に対応する処理、例えば、メールのテキストＴＸからマーカーＭＫの箇所を削除する処理を実行する（Ｓ１２６）。
【００７５】
なお、各キーＫ３１、Ｋ３２のうち、上記データテーブルＤＴに有効を示す情報が記憶されている入力用画像がない場合は、Ｓ１２４〜Ｓ１２６の処理は行われず、処理はＳ１０１に戻る。
【００７６】
また、制御部２１は、マーキングされていないと判定すると（Ｓ１２３でＮＯ）、表示制御部２２が、テキスト作成ツールＴＬ１を表示部１２の画面に表示させる（Ｓ１２７）。このとき、表示制御部２２は、図１１（Ｂ）に示すように、テキスト作成ツールＴＬ１を、表示部１２の画面におけるメールのテキストＴＸの終端に続く位置（当該終端の外側）に表示させる。なお、ここでは、テキスト作成ツールＴＬ１の入力用画像に有効を示す情報が記憶されているものとする。
【００７７】
この状態で、ユーザーが、テキスト作成ツールＴＬ１をタッチ操作して、テキストを入力すると、制御部２１は、この入力されたテキストを判定して（Ｓ１２８でＹＥＳ）、この判定したテキストを用いてメールのテキストＴＸを編集し、表示制御部２２は、この編集されたメールのテキストＴＸを表示部１２の画面に表示させる（Ｓ１２９）。
【００７８】
なお、Ｓ１２３でＮＯの場合であって、テキストボックスＴＢ２の入力用画像に無効を示す情報が記憶されている場合は、表示制御部２２は、テキストボックスＴＢ２を表示させず、Ｓ１２７〜Ｓ１２９の処理は行われず、処理はＳ１０１に戻る。
【００７９】
このように、慣性スクロール表示によりコンテンツＣの全てが表示され、このコンテンツＣがメールのテキストＴＸである場合は、メールのテキストＴＸのいずれかの箇所がマーキングされているか否かに応じて、キーＫ３１、又はテキスト作成ツールＴＬ１が表示部１２の画面に表示されるので、ユーザーがキーＫ３１又はテキスト作成ツールＴＬ１を操作することにより、慣性スクロール表示終了時に、続けて、メールのテキストＴＸのマーキング箇所の削除という処理又はメールのテキストＴＸの編集という処理を実行させるための操作を容易に行うことが可能になる。
【００８０】
このように本実施形態では、慣性スクロール表示によりコンテンツＣの全てが表示された後、コンテンツＣの処理に用いられる入力用画像が表示部１２の画面に表示されるので、表示部１２の画面上でコンテンツを慣性スクロール表示させた後に、引き続き行われる次の操作を容易に行える。
【００８１】
また、コンテンツＣの種類及びコンテンツＣに対してチェック又はマーキングが入っている否かに応じて、慣性スクロール表示の終了時に表示される入力用画像を異ならせて表示部１２の画面に表示されるので、コンテンツＣに対する慣性スクロール表示終了前の操作の内容に応じて、適切な入力用画像を表示させることができる。
＜変形例１＞
【００８２】
変形例１では、表示制御部２２は、表示部１２の画面において慣性スクロール表示されているコンテンツの最大移動速度に応じて入力用画像の表示サイズを変更する。具体的には、表示制御部２２は、慣性スクロール表示によるコンテンツの最大移動速度が大きくなる程、表示制御部２２を通じて、表示部１２の画面における入力用画像の表示サイズを大きくする。これにより、例えば図９（Ｂ）に示すような表示部１２の画面では、慣性スクロール表示によるファイルのリストＦＬの最大移動速度が大きくなる程、テキストボックスＴＢ１及びキーボードＫＢの表示サイズが大きくなり、ユーザーによるテキストボックスＴＢ１及びキーボードＫＢの操作が容易となる。
＜変形例２＞
【００８３】
変形例２は、制御部２１は、表示部１２の画面において慣性スクロール表示されているコンテンツの移動速度と予め設定された閾値を比較し、コンテンツの移動速度が閾値以上になった場合に、表示制御部２２が、入力用画像を表示部１２に表示させるものである。これにより、例えば図６に示すような表示部１２の画面において、ファイルのリストＦＬの終端が表示されなくても、慣性スクロール表示によるファイルのリストＦＬの移送速度が閾値以上になったときに、上記テキストボックスＴＢ１及びキーボードＫＢが表示されることになる。このため、ユーザーは、ファイルのリストＦＬの終端の表示を待たなくても、テキストボックスＴＢ１及びキーボードＫＢを使用することができる。
【００８４】
尚、上記実施形態で説明した表示装置１０による表示方法は、上記のＲＯＭ又は記憶部１５に記憶された制御プログラムとして提供することができる。この制御プログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該制御プログラムを記録したコンピューターにより読み取り可能な非一時的な記録媒体が、本発明の一実施形態となる。
【００８５】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００８６】
１０    表示装置
１１    制御ユニット
１２    表示部
１３    タッチパネル
１４    通信部
１５    記憶部
２１    制御部
２２    表示制御部
２３    通信制御部
【図１】
2019061379.tif 000003
【図２】
2019061379.tif 000004
【図３】
2019061379.tif 000005
【図４】
2019061379.tif 000006
【図５Ａ】
2019061379.tif 000007
【図５Ｂ】
2019061379.tif 000008
【図５Ｃ】
2019061379.tif 000009
【図５Ｄ】
2019061379.tif 000010
【図６】
2019061379.tif 000011
【図７】
2019061379.tif 000012
【図８】
2019061379.tif 000013
【図９】
2019061379.tif 000014
【図１０】
2019061379.tif 000015
【図１１】
2019061379.tif 000016